(57)【要約】　　　（修正有）【課題】はさみ使用時の作業効率を向上し、長期間使用しても性能が低下せず、低コストで製造可能な付勢手段を有するはさみを提供する。【解決手段】第１のはさみ片１及び第２のはさみ片２のグリップ部にそれぞれ固定されて第１のはさみ片および第２のはさみ片を開き方向に付勢した付勢状態とする第１の弾性部材６及び第２の弾性部材７と、第１のはさみ片と第２のはさみ片とを一体に接合する固定軸部に摺動可能に係合して、第１の弾性部材及び第２の弾性部材による付勢状態と付勢状態を解除した解除状態の切換を行なうスライダ５とから構成された付勢手段を備え、スライダは回転軸部に係合するスライダ本体部と楔状のカム部とから構成され、スライダを摺動させることによりカム部が前記第１の弾性部材の先端部と第２の弾性部材の先端部とをカム斜面部に沿って押し開き、先端部がスライダの弾性部材保持部に係合し、はさみ片１およびはさみ片２が付勢される。【選択図】　図１
2004129787.tif 000002
【特許請求の範囲】
【請求項１】
第１のはさみ片と第２のはさみ片とを、固定軸部を開閉中心として開閉自在に支持し、前記第１のはさみ片および前記第２のはさみ片の一端にそれぞれグリップ部を設けるとともに、前記グリップ部と反対側の一端にそれぞれ刃部を設けたはさみにおいて、前記第１のはさみ片および前記第２のはさみ片のグリップ部にそれぞれ固定されて前記第１のはさみ片および前記第２のはさみ片を開き方向に付勢した付勢状態とする第１の弾性部材および第２の弾性部材と、前記固定軸部に摺動可能に係合して、前記第１の弾性部材および前記第２の弾性部材による付勢状態と付勢状態を解除した解除状態の切換を行なうスライダとから構成された付勢手段を備え、前記スライダは、前記回転軸部に係合するスライダ本体部と楔状のカム部とから構成され、前記スライダを前記グリップ部側に摺動させることにより前記カム部が前記第１の弾性部材の先端部および前記第２の弾性部材の先端部をカム斜面部に沿って押し開いて第１の弾性部材および第２の弾性部材を弾性変形させることにより、はさみ片１およびはさみ片２が付勢される構成としたことを特徴とする付勢手段を有するはさみ。
【請求項２】
第１のはさみ片と第２のはさみ片とを、固定軸部を開閉中心として開閉自在に支持し、前記第１のはさみ片および前記第２のはさみ片の一端にそれぞれグリップ部を設けるとともに、前記グリップ部と反対側の一端にそれぞれ刃部を設けたはさみにおいて、前記第１のはさみ片および前記第２のはさみ片のいずれか一方に固定されて前記第１のはさみ片および前記第２のはさみ片のいずれか一方を開き方向に付勢する弾性部材と、前記固定軸部に摺動可能に係合して、前記弾性部材による付勢状態と付勢状態を解除した解除状態の切換を行なうスライダとから構成された付勢手段を備え、前記スライダは、前記回転軸部に係合するスライダ本体部と楔状のカム部とから構成され、前記スライダを前記グリップ部側に摺動させることにより前記カム部が前記弾性部材の先端部をカム斜面部に沿って摺動させて弾性部材を弾性変形させることにより、前記はさみ片１または前記はさみ片２が付勢される構成としたことを特徴とする付勢手段を有するはさみ。
【請求項３】
前記弾性部材は、はさみ片のグリップ部に固定される固定部と、前記固定部から延設された弾力性を有する弾性枝部と、弾性枝部の前記固定部と反対側の端部に設けられて、前記付勢手段を付勢状態とする際に前記カム部のカム斜面部に沿って摺動し、前記スライダ本体部の側面部に設けられた弾性部材保持部に当接する先端部とから構成されたことを特徴とする請求項１または請求項２記載の付勢手段を有するはさみ。
【請求項４】
前記スライダおよび前記弾性部材は、ポリアセタール樹脂またはポリカーボネート樹脂で形成されたことを特徴とする請求項１または請求項２記載の付勢手段を有するはさみ。
【請求項５】
前記第１のはさみ片には、前記スライダを位置決めするための突起が形成されていることを特徴とする請求項１または請求項２記載の付勢手段を有するはさみ。
【請求項６】
前記スライダ本体部には、前記スライダを前記固定軸部に係合するための穴部が設けられ、前記スライダ本体部の穴部は、略長円形状の長穴の長辺に突出部が設けられて、前記付勢手段を付勢状態とする際に軸部が挿通される付勢位置と、付勢手段を解除状態とする際に固定軸部が挿通される解除位置とが形成された瓢箪型の穴部であり、前記スライダ本体部の穴部から係合溝が延設されて、前記突起が前記係合溝に沿うように設けられたことを特徴とする請求項５記載の付勢手段を有するはさみ。
【発明の詳細な説明】
【０００１】
【発明の属する技術分野】
本発明は付勢手段を有するはさみに係り、特に教材等の用途に使用されて、作業者の疲労を低減し、作業効率を向上するための付勢手段を有するはさみに関する。
【０００２】
【従来の技術】
はさみを継続的に使用して作業する際には、作業者の疲労による作業効率の低下が起こりやすく、特に握力の弱い幼児が使用する場合には、手の疲労によりうまくはさみが使えなくなる等の不都合が生じ易い。こうした不都合を解消するために、従来から、はさみの開閉を補助する付勢手段を備えたはさみが考案され、製造されていた。
【０００３】
例えば、特許第３０７４１２７号公報（特許文献１参照）には、付勢手段としてのばね機構を備えたはさみが開示されている。すなわち同特許のはさみは、はさみを形成する一対のはさみ片を開き方向に付勢しつつ開閉可能にする付勢手段（ばね）と、はさみ片をロックして固定するロック手段と、付勢手段およびロック手段を解除して開閉可能にする解除手段とを備え、これらの手段を切換えるための操作体を備えたはさみである。
【０００４】
【特許文献１】
特許第３０７４１２７号公報（段落番号［０００６］〜［０００９］）
【０００５】
【発明が解決しようとする課題】
しかしながら、同特許のはさみは、上述した手段を構成する部品の点数が多く、また、これら手段の切換をする操作体の機構が複雑であるため、製造コストが高いという問題があった。
【０００６】
また、ばねが常時負荷を受ける構造であるため、ばねの弾性低下（へたり）による付勢性能の劣化の問題もあった。
【０００７】
本発明は、上述した事情を考慮してなされたものであり、はさみ使用時の作業効率を向上し、長期間使用しても性能が低下せず、低コストで製造可能な付勢手段を有するはさみを提供することを目的とする。
【０００８】
【課題を解決するための手段】
本発明に係る付勢手段を有するはさみは、上述した課題を解決するために、請求項１に記載したように、第１のはさみ片と第２のはさみ片とを、固定軸部を開閉中心として開閉自在に支持し、前記第１のはさみ片および前記第２のはさみ片の一端にそれぞれグリップ部を設けるとともに、前記グリップ部と反対側の一端にそれぞれ刃部を設けたはさみにおいて、前記第１のはさみ片および前記第２のはさみ片のグリップ部にそれぞれ固定されて前記第１のはさみ片および前記第２のはさみ片を開き方向に付勢した付勢状態とする第１の弾性部材および第２の弾性部材と、前記固定軸部に摺動可能に係合して、前記第１の弾性部材および前記第２の弾性部材による付勢状態と付勢状態を解除した解除状態の切換を行なうスライダとから構成された付勢手段を備え、前記スライダは、前記回転軸部に係合するスライダ本体部と楔状のカム部とから構成され、前記スライダを前記グリップ部側に摺動させることにより前記カム部が前記第１の弾性部材の先端部および前記第２の弾性部材の先端部をカム斜面部に沿って押し開いて第１の弾性部材および第２の弾性部材を弾性変形させることにより、はさみ片１およびはさみ片２が付勢される構成としたことを特徴とするものである。
【０００９】
また、本発明に係る付勢手段を有するはさみは、上述した課題を解決するために、請求項２に記載したように、第１のはさみ片と第２のはさみ片とを、固定軸部を開閉中心として開閉自在に支持し、前記第１のはさみ片および前記第２のはさみ片の一端にそれぞれグリップ部を設けるとともに、前記グリップ部と反対側の一端にそれぞれ刃部を設けたはさみにおいて、前記第１のはさみ片および前記第２のはさみ片のいずれか一方に固定されて前記第１のはさみ片および前記第２のはさみ片のいずれか一方を開き方向に付勢する弾性部材と、前記固定軸部に摺動可能に係合して、前記弾性部材による付勢状態と付勢状態を解除した解除状態の切換を行なうスライダとから構成された付勢手段を備え、前記スライダは、前記回転軸部に係合するスライダ本体部と楔状のカム部とから構成され、前記スライダを前記グリップ部側に摺動させることにより前記カム部が前記弾性部材の先端部をカム斜面部に沿って摺動させて弾性部材を弾性変形させることにより、前記はさみ片１または前記はさみ片２が付勢される構成としたことを特徴とするものである。
【００１０】
また、本発明に係る付勢手段を有するはさみは、上述した課題を解決するために、請求項３に記載したように、前記弾性部材は、はさみ片のグリップ部に固定される固定部と、前記固定部から延設された弾力性を有する弾性枝部と、弾性枝部の前記固定部と反対側の端部に設けられて、前記付勢手段を付勢状態とする際に前記カム部のカム斜面部に沿って摺動し、前記スライダ本体部の側面部に設けられた弾性部材保持部に当接する先端部とから構成されたことを特徴とするものである。
【００１１】
さらに、本発明に係る付勢手段を有するはさみは、上述した課題を解決するために、請求項４に記載したように、前記スライダおよび前記弾性部材は、ポリアセタール樹脂またはポリカーボネート樹脂で形成されたことを特徴とするものである。
【００１２】
また、本発明に係る付勢手段を有するはさみは、上述した課題を解決するために、請求項５に記載したように、前記第１のはさみ片には、前記スライダを位置決めするための突起が形成されていることを特徴とするものである。
【００１３】
さらに、本発明に係る付勢手段を有するはさみは、上述した課題を解決するために、請求項６に記載したように、前記スライダ本体部には、前記スライダを前記固定軸部に係合するための穴部が設けられ、前記スライダ本体部の穴部は、略長円形状の長穴の長辺に突出部が設けられて、前記付勢手段を付勢状態とする際に軸部が挿通される付勢位置と、付勢手段を解除状態とする際に固定軸部が挿通される解除位置とが形成された瓢箪型の穴部であり、前記スライダ本体部の穴部から係合溝が延設されて、前記突起が前記係合溝に沿うように設けられたことを特徴とするものである。
【００１４】
【発明の実施の形態】
本発明に係るはさみの実施の形態について、添付図面を参照して以下に具体的に説明する。
【００１５】
図１にはさみ１０の分解斜視図を示す。
【００１６】
はさみ１０は、一対のはさみ片１およびはさみ片２とが固定軸部３を開閉の中心として一体に支持され、さらに、はさみ片１とはさみ片２との支持部分（開閉中心付近）に付勢手段４が設けられて構成される。
【００１７】
付勢手段４は、付勢状態と解除状態の切換を行なうスライダ５と、弾性部材６（第１の弾性部材）および弾性部材７（第２の弾性部材）とから構成される。スライダ５は、固定軸部３に係合してはさみ片１の表面に摺動可能に支持され、スライダ５を操作することにより、はさみ片１およびはさみ片２を弾性部材６および弾性部材７の弾性力によりはさみ１０を開き方向に付勢する。
【００１８】
図２〜図８に各構成部材の外形図を示し、はさみ１０を構成する各部材について具体的に説明する。
【００１９】
図２にはさみ片１の外形図を示す。はさみ片１は、主にステンレス等の金属材料で製造され、はさみ片１の先端側には、刃部３１が設けられ、はさみ１０の開閉中心となる箇所には固定軸部３を挿通するための軸穴３２が形成される。刃部３１と反対側の端部には、プラスチックモールディングによりグリップ部３３が形成される。グリップ部３３には弾性部材６を固定するための溝部３３Ａが設けられる。また溝部３３Ａには、後述する弾性部材６の凸部を嵌合して固定するための凹部３３Ｂが設けられる。また、はさみ片１には、付勢手段４の解除状態において、スライダ５の回転を防止するための、半抜きの突起３４が設けられている。
【００２０】
このグリップ部３３を形成するプラスチック材料としては、ＡＢＳ樹脂等の汎用プラスチック材料が、耐久性や使用感の点から好適に使用される。
【００２１】
図３に、はさみ片２の外形図を示す。はさみ片２は、はさみ片１と対を成す部材であり、刃部３５とグリップ部３６とを備え、グリップ部３６には弾性部材７を固定するための溝部３６Ａが設けられる。また溝部３６Ａには、後述する弾性部材７の凸部を嵌合して固定するための凹部３６Ｂが設けられる。また、はさみ１０の開閉中心となる箇所には、固定軸部３を挿通するための軸穴３７が設けられる。
【００２２】
図４に示す固定軸部３は金属製の部材で、後述するスライダ５の穴部にヘッド部３８Ａが係合し、スライダ５が外れないようになっている。ヘッド部３８Ａには円柱部３８Ｂが一体に設けられ、円柱部３８Ｂのヘッド部３８Ａとの間には、ヘッド部３８Ａより小径の係合部３８Ｃが設けられる。円柱部３８Ｂがスライダ５の穴部と、はさみ片１およびはさみ片２の軸穴３２および軸穴３７に挿入され、円柱部３８Ｂのヘッド部３８Ａと反対側の端部がはさみ片２にカシメられ固定されて、はさみ片１とはさみ片２とスライダ５とが固定軸部３を中心に開閉、スライド自在に一体に支持される。
【００２３】
図５および図６にスライダ５を表側から見た斜視図と裏側から見た斜視図をそれぞれ示す。これら図５および図６を参照してスライダ５の構成について具体的に説明する。
【００２４】
スライダ５は、付勢手段４の付勢状態と解除状態とを選択して切換する部材である。スライダ５は、スライダ本体部４１とカム部４２とが一体形成された樹脂製の部材であり、スライダ５の材料としては、硬度や耐久性の観点からポリアセタール樹脂やポリカーボネート樹脂等のエンジニアリングプラスチックが好適に使用される。ポリアセタール樹脂やポリカーボネート樹脂は硬度や耐磨耗性等の物性に優れ、適度な弾性係数を有し、また経年変化が殆どないため、スライダ５の材料として特に好適である。スライダ５のスライダ本体部４１には、固定軸部３を挿通して、はさみ片１とはさみ片２とスライダ５とを一体に支持するための穴部４３が設けられており、スライダ５を摺動させてこの穴部４３に対する固定軸部３の挿通位置を相対的に変化させることにより、はさみ１０の付勢手段４を付勢状態または解除状態のうち任意の状態に切換えすることが可能な構成となっている。
【００２５】
この穴部４３は、略円形の２つの穴部が連結した瓢箪型の穴部に形成される。すなわち、穴部４３は長円形に形成された長穴の長辺の略中点に突出部４４が設けられた形状に構成される。穴部４３において、突出部４４からはさみ１０の先端部側が付勢位置４３Ａ、突出部４４からグリップ部３３側が解除位置４３Ｂである。すなわち付勢位置４３Ａおよび解除位置４３Ｂはそれぞれ略円形の円弧を有し、一部が互いに連結して穴部４３を構成している。付勢位置４３Ａおよび解除位置４３Ｂの円弧の曲率は係合部３８Ｃの曲率と略同一に構成される。
【００２６】
付勢手段４を付勢状態から解除状態へ変更する際には、スライダ５を摺動させることにより、固定軸部３が付勢位置４３Ａから解除位置４３Ｂに相対的に移動する。このとき、固定軸部３は付勢位置４３Ａと解除位置４３Ｂとの境界に位置する突出部４４を通過する。穴部４３の突出部４４部分の幅は、固定軸部３の係合部３９の外径よりやや狭く、すなわち付勢手段４を付勢状態から解除状態へ切換える際には、固定軸部３と突出部４４との間の摩擦による抵抗力より強くスライダ５を移動させなければ、状態の切換が行なわれない構成としてある。また、付勢手段４を解除状態から付勢状態へ切換える際についても同様である。
【００２７】
このように穴部４３を瓢箪型に設けることにより、突出部４４が固定軸部３との節度として機能するので、付勢手段４の付勢状態および解除状態は、作為的に切換え操作を行わない限り安定的に維持される。
【００２８】
スライダ５のカム部４２の側面部には、付勢状態において弾性部材６および弾性部材７の弾性力によりスライダ５を保持するための平面部である弾性部材保持部４５が設けられる。すなわち、付勢手段４の付勢状態においてスライダ５は弾性部材６および弾性部材７により、弾性部材保持部４５が両側面から保持されて、安定的に固定される。
【００２９】
カム部４２はスライダ本体部４１と一体に構成され、スライダ５の摺動により、弾性部材６と弾性部材７との間に楔状に挿入されて弾性部材６および弾性部材７を弾性変形させる機能を有する。カム斜面部４６はカム４２の中心線から左右対称に設けられ、カム斜面部４６の表面は平滑に仕上げられており、弾性部材６および弾性部材７がカム斜面部４６に沿って滑らかに摺動するように構成されている。
【００３０】
一方、カム部４２の裏面には穴部４３と連通する係合溝４７が設けられる。この係合溝４７は、突起３４を係合する溝部で、付勢手段４が解除状態にある場合、突起３４が係合溝４７に係合し、スライダ５が位置決めされて、スライダ５の回転が防止される。また、付勢手段４の付勢状態においては、突起３４は、穴部４３の解除位置４３Ｂ内に位置する。
【００３１】
図７（Ａ）および図７（Ｂ）に弾性部材６の平面図および側面図を示す。
【００３２】
図７（Ａ）および図７（Ｂ）に示す弾性部材６は、スライダ５の位置切換により、はさみ１０の付勢手段４を付勢状態とする部材である。弾性部材６は、はさみ片１のグリップ部３３に設けられた溝部３３Ａに固定される。弾性部材６のはさみ片１に固定される一端には、溝部３３Ａの幅と同等の幅を有する固定部６５が形成され、この固定部６５に設けられた凸部６５Ａがグリップ部３３の凹部３３Ｂに嵌合されて、はさみ片１と弾性部材６とが一体に固定される。
【００３３】
弾性枝部６６は、固定部６５から延設された、固定部６５より幅が小さい断面略長方形の枝状の部分であり、この弾性枝部６６の幅および形状は、ばね材としての適度な弾力を保持しつつ、繰り返し負荷にも耐えられるように設計される。弾性枝部６６の固定部６５の反対側に位置する一端には、弾性枝部６６の幅よりやや膨出して、丸みを帯びた先端部６７が形成される。このように曲面形状に形成された先端部６７は、スライダ５の摺動の際にスライダ５のカム斜面部４６に沿って滑らかに摺動する。また先端部６７は、付勢手段４の付勢状態において、カム３の弾性部材保持部４５に係合して、付勢状態を安定的に維持する機能を有する。
【００３４】
弾性部材６は、継続的な使用に対する耐久性と適当な弾性係数を有する部材で形成される。そのため弾性部材６には、ポリアセタール樹脂やポリカーボネート樹脂等のエンジニアリングプラスチックが好適に使用される。
【００３５】
また、図８に示す弾性部材７は弾性部材６と左右対称の構造を有する部材であり、弾性部材６と同様に、固定部７１と弾性枝部７２と先端部７３とから構成される。固定部７１には、はさみ片２のグリップ部３６の凹部３６Ｂに嵌合する凸部７１Ａが設けられる。なお、弾性部材７の機能については、弾性部材６と同様であるので詳しい説明を省略する。
【００３６】
スライダ５の天面を構成する蓋部８は、スライダと同素材で形成された部材であり、蓋部８の表面には、操作性を向上するために溝部が形成されており、はさみ１０の状態切換操作の際のグリップ性を向上し、切換操作を容易に行なうことが可能である。
【００３７】
上記の各部材を一体に組み付けて、図９の斜視図に示すはさみ１０が構成される。図９は、はさみ１０の付勢手段４の付勢状態を示す。
【００３８】
図１０および図１１に、はさみ１０の解除状態の外形図およびはさみ１０の付勢状態での外形図をそれぞれ示し、この図１０および図１１を用いて、はさみ１０の作用について説明する。なお、図１０および図１１は、スライダ５と固定軸部３との位置関係を明確に説明するため、蓋部８を取り外し、固定軸部３のヘッド部３８Ａを切り取った断面図を示している。
【００３９】
まず、図１０に示すように付勢状態４の解除状態において固定軸部３は、スライダ５の穴部４３の解除位置４３Ｂに位置している。また、突起３４は、係合溝４７に係合している。この解除状態から、スライダ５をはさみ１０のグリップ部３３側に摺動させる。このとき、弾性部材６および弾性部材７のそれぞれの先端部６７および先端部７３が、スライダ５のカム斜面部４６にそって相対的に摺動することにより、カム４２が先端部６７と先端部７３との間に押し込まれ、弾性部材６および弾性部材７の弾性力に抗して、弾性部材６と弾性部材７との間隔を押し広げる。
【００４０】
さらにスライダ５を摺動させると、先端部６７、先端部７３がスライダ５のカム部４２の両側面の弾性部材保持部４５にそれぞれ当接する（図１１）。この付勢状態に切替える際に、固定軸部３が突出部４４を通過して付勢位置４３Ａに移動される。固定軸部３は突出部４４の機能によりスライダ５の穴部４３の付勢位置４３Ａに安定的に固定される。また、付勢状態において、突起３４は、穴部４３の解除位置４３Ｂ内に位置している。
【００４１】
すなわち、このはさみ１０の付勢状態において、はさみ片１およびはさみ片２は弾性部材６および弾性部材７の弾力により開き方向に負荷がかけられる。従って、はさみ１０を連続的に使用する際にはさみ１０を開く動作が補助されるため、作業者の疲労が低減されるので、作業効率が向上する。
【００４２】
スライダ５を先端側に摺動させると、弾性部材６および弾性部材７の先端部６７および先端部７３がカムの斜面部４６を摺動し、スライダ５と弾性部材６および弾性部材７とが乖離して解除状態となる（図１０）。この解除状態において、はさみ１０は通常のはさみと同様の使用が可能である。
【００４３】
以上説明のとおり、本発明に係るはさみ１０は、はさみ片１およびはさみ片２を弾性部材６および弾性部材７により開き方向に付勢する構成としたので、はさみ１０を開く際の動作が補助され、はさみ１０を継続的に使用する時の作業者の疲労が低減されるため、作業効率を向上することが可能である。このはさみ１０は、特に握力が弱い児童等の使用に際して効果を発揮する。
【００４４】
また、はさみ１０は、従来の付勢手段を有するはさみに比較して構成部材数が大幅に削減されるので、安価な製造コストで製造が可能である。また、はさみ１０の付勢手段４を解除状態としたときには、弾性部材６および弾性部材７に負荷が作用しないため、従来の付勢手段を有するはさみにおいて問題とされたばね部材の弾性低下（へたり）が生じない。従って、継続的な使用によってもはさみ１０の性能が低下しない。
【００４５】
さらに、このはさみ１０は、操作部分であるスライダをはさみ１０の開閉の中心付近に設定したので、付勢位置および解除位置の切換がスムーズであるため、使用条件に応じて容易に機能の切換が可能である。
【００４６】
次に本発明のはさみの第２の実施形態について説明する。
【００４７】
本発明の付勢手段を有するはさみは、次のような構成としてもよい。すなわち、図１２に示す第２の実施形態のはさみ８０は、スライダ８１が、はさみ片１に対して固定軸部３まわりに回転することが防止されるように構成し、一本の弾性部材８２により付勢手段を構成したはさみである。
【００４８】
このはさみ８０は、さらに構成部材数を削減することが可能であるため、より低い製造コストで製造することが可能であり、安価で高機能な付勢手段を有するはさみを提供することが可能である。なお、はさみ８０において、はさみ１０と同一の構成については、同一符号を付して詳しい説明を省略する。
【００４９】
【発明の効果】
以上説明のとおり、本発明のはさみによれば、はさみ片を開き方向に付勢することによりはさみ使用時の作業者の疲労が軽減されるため、作業効率が向上し、また、長期間使用しても性能が低下せず、低コストで製造可能であるため、安価で高機能な付勢手段を有するはさみを提供することが可能である。
【図面の簡単な説明】
【図１】本発明に係るはさみの構成を示す分解斜視図。
【図２】第１のはさみ片を示す外形図。
【図３】第２のはさみ片を示す外形図。
【図４】固定軸部の外形図。
【図５】スライダの表面側の構造を示す斜視図。
【図６】スライダの裏面側の構造を示す斜視図。
【図７】（Ａ）および（Ｂ）は、それぞれ第１の弾性部材の平面図および側面図。
【図８】（Ａ）および（Ｂ）は、それぞれ第２の弾性部材の平面図および側面図。
【図９】付勢手段を付勢状態としたはさみの斜面図。
【図１０】付勢手段を解除状態としたはさみの外形図。
【図１１】付勢手段を付勢状態としたはさみの外形図。
【図１２】本発明に係るはさみの第２の実施形態を示す外形図。
【符号の説明】
１　はさみ片
２　はさみ片
３　固定軸部
４　付勢手段
５　スライダ
６　弾性部材
７　弾性部材
８　蓋部
１０　はさみ
３１　刃部
３２　軸穴
３３　グリップ部
３３Ａ　溝部
３３Ｂ　凹部
３４　突起
３５　刃部
３６　グリップ部
３６Ａ　溝部
３６Ｂ　凹部
３７　軸穴
３８Ａ　ヘッド部
３８Ｂ　円柱部
３８Ｃ　係合部
４１　スライダ本体部
４２　カム部
４３　穴部
４３Ａ　付勢位置
４３Ｂ　解除位置
４４　突出部
４５　弾性部材保持部
４６　カム斜面部
４７　係合溝
６５　固定部
６６　弾性枝部
６７　先端部
７１　固定部
７２　弾性枝部
７３　先端部
８０　はさみ
８１　スライダ
８２　弾性部材
【図１】
2004129787.tif 000003
【図２】
2004129787.tif 000004
【図３】
2004129787.tif 000005
【図４】
2004129787.tif 000006
【図５】
2004129787.tif 000007
【図６】
2004129787.tif 000008
【図７】
2004129787.tif 000009
【図８】
2004129787.tif 000010
【図９】
2004129787.tif 000011
【図１０】
2004129787.tif 000012
【図１１】
2004129787.tif 000013
【図１２】
2004129787.tif 000014